(57)【要約】【課題】空調されている室内の環境を、室内空気の排気また屋外空気の取り入れにて換気を行う換気装置にて改善可能とした空気調和装置を簡易な構成でかつ安価に提供する。【解決手段】室内空気を排気する室内ファン１２を室内機１の内部に、外気を室内に取り込む室外ファン２０を屋外に臨む位置にと１本の共用給排気管１６を通じて連絡配置し、室内ファン又は室外ファンのそれぞれの単独駆動にて排気又は給気を行なわせて換気を行い、室内の汚染状態を解消して室内環境を良好な状態に維持できるようにする。【選択図】    図１
2005030660.tif 000002
【特許請求の範囲】
【請求項１】
室内に設置される室内機と、屋外に設置される室外機とを冷媒配管で接続するようにした空気調和装置において、
前記室内機に収容された換気用の室内ファンと、屋外に設置される換気用の室外ファンと、前記室内ファンと室外ファンに両端部が繋がれると共に、前記室内の壁に挿通されて家屋の内外に配される１本の共用給排気管とから成る換気装置を備え、
前記換気装置は、室内ファンの駆動時に室内空気を共用給排気管及び室外ファンを介して屋外に排出する一方、室外ファンの駆動時に屋外空気を共用給排気管及び室内ファンを介して室内に給気する構成としたことを特徴とする空気調和装置。
【請求項２】
前記換気装置は、室内ファンの単独駆動と、室外ファンの単独駆動に切換え運転可能としたことを特徴とする請求項１に記載の空気調和装置。
【請求項３】
前記冷媒配管の屋外配管部分には、冷媒配管を覆う冷媒配管カバーを設け、この冷媒配管カバー内に前記室外ファンを組み込む構成としたことを特徴とする前記請求項１に記載の空気調和装置。
【請求項４】
前記室内ファンおよび前記室外ファンとしてシロッコファンを用いたことを特徴とする前記請求項１又は２に記載の空気調和装置。
【発明の詳細な説明】
【０００１】
【発明の属する技術分野】
本発明は、室内空気の排気と外気の室内への給気により換気する換気装置を具備させて、より快適な室内環境を提供することができるように成した空気調和装置に関する。
【０００２】
【従来の技術】
今日、室内の壁に分離型空気調和機の室内機を配し、室内空気を室内機内部の循環ファンにて室内機に吸い込み、室内機内部の熱交換器により熱交換させて発生した冷気又は暖気を室内に供給して室内を快適な温度環境に維持することは至極一般的となっている。しかし、冷房、暖房効果を良くするため、あまり室内の換気を行わないで空調されている。従って室内が長時間密閉的状態にあると室内空気が汚れるため、定期的に室内を開放し室内空気を逃がし、外気を取り入れ換気をする必要がある。
【０００３】
このため、従来より空気調和機に換気装置を備えるものが提案されている。例えば、室内機の側部に正転、逆転可能な渦流ファンを備えた換気用送風機を設け、渦流ファンの正逆転切り換えにより室内空気の排気と外気の給気を行い換気させるようにした空気調和機（特許文献１）や、ファンモーターの左右両軸に設けたシロッコファンのうち一方が排気用導風路内に収容され、他方のシロッコファンが給気用導風路に収容された送風機を内装した換気ユニットを室内機の近傍に設け、片方のシロッコの回転により室内空気を排気用導風路から屋外へ排気し、同時に他方のシロッコファンの回転により外気を給気用導風路から室内へ取り入れて換気を行うよう成した換気装置（特許文献２）などである。
【０００４】
【特許文献１】
【特開２０００−１９３２６９号公報】
【特許文献２】
【特許第２６２９６６５号】
【０００５】
【発明が解決しようとする課題】
しかし、特許文献１による換気装置では、渦流ファンを室内機の厚み方向に組み入れている構造のため、近年厚み幅が小さくなっている薄型の室内機に採用するには得策ではないと共に、室内機の一側部にその収容スペースを確保する必要があり、その分室内機が横に大型化するがそれは熱交換機能の向上には何ら寄与しないものである。また、特許文献２では、２つのシロッコファンを収容しているので換気ユニットが大きなものとなり、また排気用導風路、給気用導風路と２つの専用の風路を必要とするなど、構成的な複雑さや、コスト高また室内機への据え付け作業の困難性が予想される等の問題があった。
【０００６】
本発明は上記点に鑑みなされたもので、簡易な構成の換気装置を空気調和装置に具備させて換気を行い、室内の空気汚染状態が悪化しないように効果的に抑制できるように図った空気調和装置を提供することを目的とする。
【０００７】
【課題を解決するための手段】
上記目的を達成するために、本発明は、室内に設置される室内機と、屋外に設置される室外機とを冷媒配管で接続するようにした空気調和装置において、前記室内機に収容された換気用の室内ファンと、屋外に設置される換気用の室外ファンと、前記室内ファンと室外ファンに両端部が繋がれると共に、前記室内の壁に挿通されて家屋の内外に配される１本の共用給排気管とから成る換気装置を備え、前記換気装置は、室内ファンの駆動時に室内空気を共用給排気管及び室外ファンを介して屋外に排出する一方、室外ファンの駆動時に屋外空気を共用給排気管及び室内ファンを介して室内に給気する構成としたものである。
【０００８】
また本発明は、前記換気装置は、室内ファンの単独駆動と、室外ファンの単独駆動に切換え運転可能としたものである。
【０００９】
また本発明は、前記冷媒配管の屋外配管部分には、冷媒配管を覆う冷媒配管カバーを設け、この冷媒配管カバー内に前記室外ファンを組み込む構成としたものである。
【００１０】
さらにまた本発明は、前記室内ファンおよび前記室外ファンとしてシロッコファンを用いたものである。
【００１１】
【発明の実施の形態】
以下、本発明の実施形態を図面に基づき説明する。
【００１２】
図１は、室内機の内部に排気用の室内ファンを設け、屋外に給気用の室外ファンを設けてそのいずれか一方の駆動にて、共用の給排気管を通じて給気又は排気を行い換気させる換気装置を備えた空気調和装置の実施形態を示す。
【００１３】
室内機１は、吸い込みパネル２を有した前部ケース３と背面側の後ろケース４から成る本体ケース５を有し、該本体ケース５の下端部には吹出口（図示せず）が設けられると共に、この本体ケース５内に室内の空気を加熱／冷却する熱交換器６が配されている。熱交換器６は冷媒がそのフィンと直交しかつ蛇行させて配設した冷媒管７を通過することにより、冷房／除湿運転時に冷却器として機能し、暖房運転時には加熱器として機能するものである。
【００１４】
また本体ケース５の内部には、熱交換器６で取り囲まれるように循環ファン８が設けられ、該循環ファン８により室内の空気が吸い込みパネル２から吸い込まれ、熱交換器６で加熱／冷却されて冷風／温風が吹出口から再び室内に吹き出されて循環するものである。この他に、滴下するドレン水を溜め排出するために熱交換器６の下端部に設けられたドレンパン９や、熱交換器６と吸い込みパネル２との間に配されるエアフィルター、また吹出口に設けられた吹出方向を変更させる風向器（図示せず）などの構成部品を有する。さらに室外機（図示せず）の圧縮機の運転制御、前記循環ファン８のファンモータの駆動制御等を行うための電装部１１等が、本体ケース５の片側部に区画して内蔵されている。
【００１５】
１２は、室内空気を室外（屋外）に排気して換気するための室内ファンで、室内機１内に収容されている。具体的には例えば熱交換器６の側面近傍等に配置されている。この室内ファン１２としてはシロッコファンを使用している。シロッコファンは厚みの薄い略円筒形状のファンケース部１３Ａ内にモータとシロッコファンとが収容されている構造である。シロッコファンが回転すると、ファンケース部１３Ａの片面側に開けた円形の吸込口１４Ａより室内空気が吸い込まれた後、ファンケース部１３Ａの一端部に設けた吹出部１５より吹き出される。
【００１６】
一方２０は、屋外空気を室内に給気して換気するための室外ファンで、屋外に臨む位置に設けられている。すなわち室内機１を取り付けている室内の壁（図示せず）の外に配置している。この室外ファン２０にもシロッコファンを使用しており、先の室内ファン１２と同様に、シロッコファンが回転すると、ファンケース部１３Ｂの片面側に開けた円形の吸込口１４Ｂより屋外空気が吸い込まれた後、ファンケース部１３Ｂの一端部に設けた吹出部１５より吹き出される。
【００１７】
この室外ファン２０の場合も、シロッコファンは厚みが薄い構造のものなので、屋外の壁部に分厚く存在するような取り付け方とならず、外観を悪くしないという点で有利となる。
【００１８】
さて、１６は室内ファン１２により吸い込んだ室内空気を屋外に排気させ、また室外ファン２０にて吸い込んだ屋外空気を室内に給気するために設けられた１本の共用給排気管で、室内の壁を挿通して家屋の内外に存在するように配されている。前記室内ファン１２と室外ファン２０はこの１本の共用給排気管１６を介して繋がるようにその両端部に設けられている。すなわち給排気管１６の室内側開口端１７ａに繋がるように室内ファン１２が設置され、また同管１６の室外側開口端１７ｂに繋がるように室外ファン２０が設置されている。室外ファン２０は前記共用給排気管１６の室外側開口端１７ｂにその吹出部１５が接続され、ぶら下がった格好で取り付けられている。
【００１９】
共用給排気管１６は室内機１側からその背部へと出された後、室内機１の背面側に沿って出し口とは反対側へ向かって水平に延ばされ、その先端で直角に曲げられて屋外へと延出されている。
【００２０】
ここで、前記室内ファン１２と室外ファン２０はどちらか一方を駆動するものとされており、同時に駆動するものとはなっていない。そこで室内ファン１２を単独で駆動したときには、室内ファン１２により室内空気がその吸込口１４Ａから吸い込まれ、共用給排気管１６を経て前記室外ファン２０の吸込口１４Ｂを吹出部として屋外に排気されることにより、換気が行われる。一方室外ファン２０を単独で駆動したときは、室外ファン２０により屋外空気がその吸込口１４Ｂから吸い込まれ共用給排気管１６を通じて前記室内ファンの吸込口１４Ａを吹出部として室内に吹き出されることにより、換気が行われる。こうして、室内ファン１２と室外ファン２０および両ファン１２，２０に両端部が繋がって設けられた１本の共用給排気管１６により換気装置が構成されている。
【００２１】
また室内ファン１２及び室外ファン２０を駆動して排気又は給気して行う換気動作は、空気調和装置を運転している最中であっても適宜に行うことができる。また空調運転していない時でも室内ファン１２及び室外ファン２０を駆動して換気を行い、部屋の汚染状態を緩和するという使い方が可能である。
【００２２】
さらに室内ファン１２と室外ファン２０との単独運転切り換えは、空気調和装置の運転／停止制御や、冷房／暖房の空調温度設定などを行う操作釦を有するリモコンなどに、その室内ファン／室外ファンの運転切換操作釦部を設けて、運転切換操作することが可能である。また、室内ファン１２／室外ファン２０の運転を所定時間ごとに交互に行う換気自動運転も可能である。
【００２３】
なお、室内ファン１２は、図１では熱交換器６の側面近傍に設けたものとしたが、図２のように室内ファン１２を熱交換器６の前に設けるようにしても良い。この場合室内ファン１２が熱交換器６の前にあることで、室内機１に吸い込まれる空気の抵抗となり熱交換率を下げる懸念があるが、室内ファン１２は熱交換器６の全体面積から比べるとかなり小さいものであるから、大きな影響を及ぼすものでもない。
【００２４】
また室内機１と室外機（図示せず）とは冷媒配管１８で接続され冷媒圧縮機、凝縮器、熱交換器６と冷媒が循環する冷凍サイクルが形成されている。その冷媒配管１８が、室内機１の前記給排気管１６が引き出された側と反対側の箇所から、室内機１内部へと配管され熱交換器６と接続されている。またこの冷媒配管１８が配管されている箇所には、循環ファン８や風向器等を作動するための電源コードや冷媒の温度や圧力あるいは室内温度等を検出し、冷媒圧縮機の運転などをコントロールするための制御系の伝送ラインなどが保護管（図示せず）内に収納されて一緒に配線されている。
【００２５】
通常時は、室外機の冷媒圧縮機および室内機１の循環ファン８が運転され、循環ファン８の回転により室内空気が吸い込みパネル２より室内機１に吸い込まれ熱交換器６で熱交換されて、冷気／暖気が下部の吹出口より室内に吹き出されて冷房／暖房の空調が行われる。
【００２６】
部屋の換気をしようするときには、室内ファン１２か室外ファン２０のどちらかを駆動すればよい。たとえばリモコンで室内ファン１２を駆動するように操作すると、室内ファン１２すなわちシロッコファンが回転し室内空気がその吸込口１４Ａから吸い込まれ、吹出部から出た後、共用給排気管１６を通って屋外に臨む室外ファン２０の吸込口１４Ｂから屋外に排出される。こうして室内の汚染した空気が室内ファン１２により排気されることにより、室内の換気が行われ室内環境が改善される。
【００２７】
一方、室外ファン２０をリモコンで駆動するように切り換えた場合には、室外ファン２０すなわちシロッコファンが回転し、その円形の吸込口１４Ｂから屋外空気を吸い込み吹出部１５から共用給排気管１６内へと送り、そして室内ファンの吸込口１４Ａから室内に給気されることにより、室内の換気が行われ室内環境が改善される。
【００２８】
なお、共用給排気管１６の内部或いは室内ファン１２寄りの位置には、取り入れられる外気中から花粉等を除くためのフィルターＦを設けている。
【００２９】
ここで、図２に示すように、屋外に露出する冷媒配管１８部分には矩形状の箱型をした冷媒配管カバー２４を被せて保護する。そしてさらにこの冷媒配管カバー２４を利用して、室外ファン２０もこのカバー２４内に組み込む構成とする。これにより、室外ファン２０を雨風や塵埃から保護し、また悪戯などで損傷されないように防止することができると共に、室外ファン２０がカバー２４で隠され露顕しないので、外観的に良くすることもできる。
【００３０】
なお、冷媒配管カバー２４の前面部には、室外ファン２０の吸込口１４Ｂに対応させて、網やスリット構造の吸い込み口２５を形成し、多量に塵埃や異物が吸い込まれないようにフィルターの役目をさせるようにする。また冷媒配管カバー２４の後面部上部には、冷媒配管１８や共用給排気管１６を引き出せるように挿通孔２８を形成して、そこから冷媒配管１８や共用給排気管１６をカバー後方へ引き出し容易に配管できるようにする。また冷媒配管カバー２４の内壁に室外ファン２０を固定するための固定棒２６を設け、室外ファン２０のファンケース部１３Ｂの端部に設けた取付部２７の孔に前記固定棒２６を嵌通して、室外ファン２０を動かないようしっかりと取り付けることができるようになっている。
【００３１】
【発明の効果】
本発明によれば、室内機に収容され室内空気を屋外に排出する室内ファンと、屋外に配置され屋外の空気を室内に取り込む室外ファンとが１本の共用給排気管でその両端部に繋がって設けられた構成の換気装置を有し、室内ファン又は室外ファンのいずれか一方を駆動することにより、前記共用給排気管を通じて汚れた室内空気を排気し、また新鮮な外気を給気して換気をすることができるので、室内環境を随時にかつ容易な操作で良好な状態に維持することができる。また室内空気の排気と屋外空気の給気とを１つの給排気管で行えるので、従来のように排気専用、給気専用と２本の管構成にしなくても良くなり、簡易な構成でかつコスト安価な換気装置で換気をすることができる。
【００３２】
また室内ファンと室外ファンとはそれぞれ単独で駆動できるように切換操作可能となっているので、室内の汚染状態を解消するのに室内の汚染空気を外部に排出して換気する方が効果的かあるいは新鮮な外気を室内に給気して換気する方が良いかなど、自由に選択し効率的に換気をさせることができる。
【００３３】
また室外ファンは屋外に露出する冷媒配管部分を覆うように設けた冷媒配管カバー内に組み込むようにすることで、室外ファンを雨風や塵埃、悪戯などから保護し、またカバーで隠させて外観的に良くすることができる。
【００３４】
また室内／室外ファンとしてシロッコファンを使用することで、小型でかつ安価な換気装置とすることができる。
【図面の簡単な説明】
【図１】本発明の１本の共用給排気管を通じてその両端に繋がる室内空気の排気を行う室内ファンと、屋外空気を給気する室外ファンにて給排気を行い換気をする換気装置を備える実施態様に係わる空気調和装置の外観斜視図。
【図２】本発明の室外ファンを冷媒配管カバー内に収容した実施態様に係わる空気調和装置の外観斜視図。
【符号の説明】
１                室内機
２                吸い込みパネル
６                熱交換器
８                循環ファン
１２              室内ファン
１４Ａ，１４Ｂ    吸込口
１５              吹出部
１６              共用給排気管
１８              冷媒配管
２０              室外ファン
２４              冷媒配管カバー
【図１】
2005030660.tif 000003
【図２】
2005030660.tif 000004